(57)【特許請求の範囲】
【請求項１】
ネットワークを介して情報処理サーバから更新用のソフトウェアを受け取る周辺機器制御装置において、
電力を供給する電源と、
前記電源による電力供給の状態を切り替える電源切替手段と、
前記情報処理サーバから更新用のソフトウェアを受信した際に、該受信した更新用のソフトウェアに基づいてソフトウェアを更新するソフトウェア更新手段と、
前記ソフトウェア更新手段によるソフトウェアの更新が終了した際に、前記周辺機器の電源状態を検出する周辺機器電源状態検出手段と、
前記周辺機器電源状態検出手段が検出した周辺機器の電源状態に基づき、前記電源切替手段による切り替えを制御する電源切替制御手段と
を具備し、
前記電源切替制御手段は、
前記周辺機器電源状態検出手段により前記周辺機器の電源状態が節電状態若しくは切断状態であると検出した場合、前記電源切替手段を節電状態若しくは切断状態に切り替え、
前記周辺機器電源状態検出手段により前記周辺機器の電源状態が通電状態であると検出した場合、前記電源切替手段を通電状態に保持する
ことを特徴とする周辺機器制御装置。
【請求項２】
ネットワークを介して情報処理サーバから更新用のソフトウェアを受け取る周辺機器制御装置において、
電力供給の状態を切り替える電源切替手段と、
前記情報処理サーバから更新用のソフトウェアを受信した際に、該受信した更新用のソフトウェアに基づいてソフトウェアを更新するソフトウェア更新手段と、
前記ソフトウェア更新手段によるソフトウェアの更新が終了した際に、前記周辺機器の電源状態を検出する周辺機器電源状態検出手段と、
前記周辺機器電源状態検出手段が検出した周辺機器の電源状態に基づき、前記電源切替手段による切り替えを制御する電源切替制御手段と
を具備し、
前記電源切替制御手段は、
前記周辺機器電源状態検出手段により前記周辺機器の電源状態が節電状態若しくは切断状態であると検出した場合、前記電源切替手段を節電状態若しくは切断状態に切り替え、
前記周辺機器電源状態検出手段により前記周辺機器の電源状態が通電状態であると検出した場合、前記電源切替手段を通電状態に保持する
ことを特徴とする周辺機器制御装置。
【請求項３】
周辺機器およびネットワークを介して情報処理サーバから更新用のソフトウェアを受け取る周辺機器制御装置の電源制御方法において、
前記周辺機器制御装置は、前記情報処理サーバから更新用のソフトウェアを受信し、該受信した更新用のソフトウェアに基づいてソフトウェアを更新し、該更新が終了した際に前記周辺機器の電源状態を検出し、前記周辺機器の電源状態が節電状態若しくは切断状態であると検出した場合、前記周辺機器制御装置を節電状態若しくは切断状態に切り替え、前記周辺機器の電源状態が通電状態であると検出した場合、前記周辺機器制御装置を通電状態に保持することを特徴とする周辺機器および周辺機器制御装置の電源制御方法。
【請求項４】
周辺機器およびネットワークを介して情報処理サーバから更新用のソフトウェアを受け取る周辺機器制御装置の電源制御システムにおいて、
前記周辺機器制御装置は、
電力を供給する電源と、
前記電源による電力供給の状態を切り替える電源切替手段と、
前記情報処理サーバから更新用のソフトウェアを受信した際に、該受信した更新用のソフトウェアに基づいてソフトウェアを更新するソフトウェア更新手段と、
前記ソフトウェア更新手段によるソフトウェアの更新が終了した際に、前記周辺機器の電源状態を検出する周辺機器電源状態検出手段と、
前記周辺機器電源状態検出手段が検出した周辺機器の電源状態に基づき、前記電源切替手段による切り替えを制御する電源切替制御手段と
を具備し、
前記電源切替制御手段は、
前記周辺機器電源状態検出手段により前記周辺機器の電源状態が節電状態若しくは切断状態であると検出した場合、前記電源切替手段を節電状態若しくは切断状態に切り替え、
前記周辺機器電源状態検出手段により前記周辺機器の電源状態が通電状態であると検出した場合、前記電源切替手段を通電状態に保持する
ことを特徴とする周辺機器および周辺機器制御装置の電源制御システム。
【発明の詳細な説明】
【技術分野】
【０００１】
本発明は、周辺機器制御装置、周辺機器および周辺機器制御装置の電源制御方法、周辺機器および周辺機器制御装置の電源制御システムに関し、特に、状況に応じて適切な電源制御を行う周辺機器制御装置、周辺機器および周辺機器制御装置の電源制御方法、周辺機器および周辺機器制御装置の電源制御システムに関する。
【背景技術】
【０００２】
従来、ネットワーク等に接続され、ＰＣ等の情報処理装置から入力したデータの処理を行う周辺機器（例えば、印刷装置等）は長時間通電したままになることが多く、データの処理を行なっていない間も電力を消費するという無駄があった。
【０００３】
そこで、  最近ではエコロジーの観点から周辺機器を使用していない時間帯は周辺機器の電源を切断することも励行されている。
【０００４】
例えば、一定時間、情報処理装置からのデータの入力やユーザによる操作がなかった時には、熱定着器の停止およびユーザインターフェースの表示を消す等の省電力モードにすることにより、電力の消費を減らすことを行う印刷装置およびその制御方法がある（例えば、特許文献１参照。）。
【特許文献１】特開平７−２２８０２６号公報
【発明の開示】
【発明が解決しようとする課題】
【０００５】
しかし、周辺機器のソフトウェアの更新を行う場合、ソフトウェアの更新作業は顧客が周辺機器を利用していない時間帯に行うことが多く、実際には顧客の業務終了時間から翌日の業務開始時間までの時間帯等であり、ソフトウェアの更新を行う際には周辺機器の電源を切断することができない。そこで、ソフトウェアの更新が終了するまで人が待機し、ソフトウェア更新後に周辺機器を節電状態若しくは切断状態に移行するか、ソフトウェアの更新が終了するまで人が待機できない場合は、ソフトウェア更新後もやむを得ず周辺機器の電源を入れたまま翌日の業務開始時間まで放置せざるを得なかった。
【０００６】
そこで、本発明は、周辺機器制御装置のソフトウェアの更新が完了した際に予め指定された電源設定に基づいて通電状態／節電状態の切り替えを行う周辺機器制御装置、周辺機器および周辺機器制御装置の電源制御方法、周辺機器および周辺機器制御装置の電源制御システムを提供することを目的とする。
【課題を解決するための手段】
【０００７】
上記目的を達成するため、請求項１の発明は、ネットワークを介して情報処理サーバから更新用のソフトウェアを受け取る周辺機器制御装置において、電力を供給する電源と、前記電源による電力供給の状態を切り替える電源切替手段と、前記情報処理サーバから更新用のソフトウェアを受信した際に、該受信した更新用のソフトウェアに基づいてソフトウェアを更新するソフトウェア更新手段と、前記ソフトウェア更新手段によるソフトウェアの更新が終了した際に、前記周辺機器の電源状態を検出する周辺機器電源状態検出手段と、前記周辺機器電源状態検出手段が検出した周辺機器の電源状態に基づき、前記電源切替手段による切り替えを制御する電源切替制御手段とを具備し、前記電源切替制御手段は、前記周辺機器電源状態検出手段により前記周辺機器の電源状態が節電状態若しくは切断状態であると検出した場合、前記電源切替手段を節電状態若しくは切断状態に切り替え、前記周辺機器電源状態検出手段により前記周辺機器の電源状態が通電状態であると検出した場合、前記電源切替手段を通電状態に保持することを特徴とする。
【０００８】
また、請求項２の発明は、ネットワークを介して情報処理サーバから更新用のソフトウェアを受け取る周辺機器制御装置において、電力供給の状態を切り替える電源切替手段と、前記情報処理サーバから更新用のソフトウェアを受信した際に、該受信した更新用のソフトウェアに基づいてソフトウェアを更新するソフトウェア更新手段と、前記ソフトウェア更新手段によるソフトウェアの更新が終了した際に、前記周辺機器の電源状態を検出する周辺機器電源状態検出手段と、前記周辺機器電源状態検出手段が検出した周辺機器の電源状態に基づき、前記電源切替手段による切り替えを制御する電源切替制御手段とを具備し、前記電源切替制御手段は、前記周辺機器電源状態検出手段により前記周辺機器の電源状態が節電状態若しくは切断状態であると検出した場合、前記電源切替手段を節電状態若しくは切断状態に切り替え、前記周辺機器電源状態検出手段により前記周辺機器の電源状態が通電状態であると検出した場合、前記電源切替手段を通電状態に保持することを特徴とする。
【０００９】
また、請求項３の発明は、周辺機器およびネットワークを介して情報処理サーバから更新用のソフトウェアを受け取る周辺機器制御装置の電源制御方法において、前記周辺機器制御装置は、前記情報処理サーバから更新用のソフトウェアを受信し、該受信した更新用のソフトウェアに基づいてソフトウェアを更新し、該更新が終了した際に前記周辺機器の電源状態を検出し、前記周辺機器の電源状態が節電状態若しくは切断状態であると検出した場合、前記周辺機器制御装置を節電状態若しくは切断状態に切り替え、前記周辺機器の電源状態が通電状態であると検出した場合、前記周辺機器制御装置を通電状態に保持することを特徴とする。
【００１０】
また、請求項４の発明は、周辺機器およびネットワークを介して情報処理サーバから更新用のソフトウェアを受け取る周辺機器制御装置の電源制御システムにおいて、前記周辺機器制御装置は、電力を供給する電源と、前記電源による電力供給の状態を切り替える電源切替手段と、前記情報処理サーバから更新用のソフトウェアを受信した際に、該受信した更新用のソフトウェアに基づいてソフトウェアを更新するソフトウェア更新手段と、前記ソフトウェア更新手段によるソフトウェアの更新が終了した際に、前記周辺機器の電源状態を検出する周辺機器電源状態検出手段と、前記周辺機器電源状態検出手段が検出した周辺機器の電源状態に基づき、前記電源切替手段による切り替えを制御する電源切替制御手段とを具備し、前記電源切替制御手段は、前記周辺機器電源状態検出手段により前記周辺機器の電源状態が節電状態若しくは切断状態であると検出した場合、前記電源切替手段を節電状態若しくは切断状態に切り替え、前記周辺機器電源状態検出手段により前記周辺機器の電源状態が通電状態であると検出した場合、前記電源切替手段を通電状態に保持することを特徴とする。
【発明の効果】
【００４９】
本発明によれば、周辺機器制御装置のソフトウェアの更新が完了した際に各装置の状態に応じて電源制御を行うことで、各装置が設置されている現場の状況に合わせて、適切な電源状態に移行することを可能にするという効果を奏する。
【発明を実施するための最良の形態】
【００５０】
以下、本発明の実施の形態について添付図面を参照して詳細に説明する。なお、本実施の形態では、周辺機器と周辺機器が有する機能を利用するための周辺機器制御装置とが接続され、ソフトウェア配信サーバがネットワークを介して周辺機器制御装置に接続されている周辺機器システムに適用した場合について説明する。
【００５１】
ここで、ソフトウェア配信サーバが周辺機器制御装置に配信する更新用のソフトウェアはバージョンアップ用若しくは修正用のソフトウェアであり、周辺機器制御装置は配信されたソフトウェアに応じた更新処理（例えば、バージョンアップ用のソフトウェアの場合は旧ソフトウェアから新ソフトウェアへの書き換え、修正用のソフトウェアの場合はソフトウェアの一部分の書き換え）を行う。
【００５２】
また、周辺機器制御装置のソフトウェアの更新処理を完了するまで、周辺機器および周辺機器制御装置の使用はできなくなるため、ソフトウェアの更新はユーザが使用しない時間帯を利用して行われるのが通例である。周辺機器制御装置のソフトウェアの更新を行うためには、少なくとも周辺機器制御装置の電源は通電されてなければならない。
【００５３】
また、本実施の形態についての説明で用いる節電とは、一部の通電した状態で電源供給の多くを切断することであり、本実施の形態では通電／節電の切り替えの構成について説明しているが、もちろん通電／切断の切り替えの構成でも適用可能である。
【００５４】
本発明の第１の実施の形態について詳細に説明する。
【００５５】
図１は、本発明の第１の実施の形態で用いる周辺機器システム１の全体構成の一例を示すブロック図である。
【００５６】
図１に示すように、周辺機器システム１は周辺機器２、タッチパネル等４を有する周辺機器制御装置３、ネットワーク５を介して周辺機器制御装置３にソフトウェアを配信するソフトウェア配信サーバ６から構成され、周辺機器２および周辺機器制御装置３はそれぞれ独自で電源を有することで、独自に電源制御を行うことが可能である。
【００５７】
次に、本発明の第１の実施の形態で用いる周辺機器システム１を構成する周辺機器制御装置３の機能的な構成について詳細に説明する。図１に示すように、周辺機器制御装置３は通信制御部７１、ソフトウェア更新部８、周辺機器電源ＯＮ／ＯＦＦ検出部９、電源切替制御部１０、電源切替部１１１から構成されている。なお、上記で説明した電源制御に関する構成部分以外の構成部分については図示しないため、説明は省略する。
【００５８】
通信制御部７１は、ネットワーク５を介した通信を行うための通信制御を行う。
【００５９】
ソフトウェア更新部８は、ソフトウェア配信サーバ６から配信された周辺機器制御装置３のソフトウェアの更新処理を行う。
【００６０】
周辺機器電源ＯＮ／ＯＦＦ検出部９は、周辺機器制御装置３のソフトウェアの更新処理の終了後に周辺機器２の電源のＯＮ／ＯＦＦ状態の検出を行う。
【００６１】
電源切替制御部１０は、周辺機器制御装置３の電源切替の制御を行う。第１の実施の形態においては、周辺機器制御装置３のソフトウェアの更新処理の終了後に周辺機器２の電源がＯＦＦ状態若しくは節電状態である場合、電源切替部１１１を節電に切り替え、また、周辺機器制御装置３のソフトウェアの更新処理の終了後に周辺機器２の電源がＯＮ状態である場合、電源切替部１０を通電の状態に保持する。
【００６２】
電源切替部１１１は、電源状態を通電状態／節電状態／切断状態に切り替えるスイッチである。
【００６３】
次に、周辺機器制御装置３のソフトウェアの更新を行う際に、本発明の第１の実施の形態で用いる周辺機器システム１で行われる機能的な動作について説明する。
【００６４】
ソフトウェア配信サーバ６が周辺機器制御装置３のソフトウェアを更新するためにネットワーク４を介して周辺機器制御装置３にソフトウェアおよびソフトウェア更新の指示を配信し、周辺機器制御装置３の通信制御部７１はソフトウェアおよびソフトウェア更新の指示を受信すると、受信したソフトウェアおよびソフトウェア更新の指示をソフトウェア更新部８に送出し、ソフトウェア更新部８はソフトウェアおよびソフトウェア更新の指示を受け付けると、受け付けたソフトウェア更新の指示に従ってソフトウェアの更新処理を開始する。
【００６５】
ソフトウェア更新部８はソフトウェアの更新処理が終了すると、周辺機器電源ＯＮ／ＯＦＦ検出部９にソフトウェアの更新処理が終了した旨を通知し、周辺機器電源ＯＮ／ＯＦＦ検出部９はソフトウェアの更新処理が終了した旨を受け付けると、周辺機器２の電源のＯＮ／ＯＦＦ状態を検出する。
【００６６】
ここで、周辺機器電源ＯＮ／ＯＦＦ検出部９が周辺機器２の電源がＯＦＦ状態若しくは節電状態であると検出した場合、周辺機器２の電源がＯＦＦ状態若しくは節電状態である旨を電源切替制御部１０に通知し、電源切替制御部１０は周辺機器２の電源がＯＦＦ状態若しくは節電状態である旨を受け付けると、電源切替部１１１を節電に切り替える。
【００６７】
また、周辺機器電源ＯＮ／ＯＦＦ検出部９が周辺機器２の電源がＯＮ状態であると検出した場合、周辺機器２の電源がＯＮ状態である旨を電源切替制御部１０に通知し、電源切替制御部１０は周辺機器２の電源がＯＮ状態である旨を受け付けると、電源切替部１１１を通電の状態に保持する。
【００６８】
次に、本発明の第１の実施の形態で用いる周辺機器システム１が行う電源制御処理の手順について図２に示すフローチャートを参照して説明する。
【００６９】
周辺機器制御装置がソフトウェア配信サーバからソフトウェアを受信すると（ステップＳ２０１でＹＥＳ）、ソフトウェアの更新を開始し（ステップＳ２０２）、ソフトウェアの更新が終了すると（ステップＳ２０３でＹＥＳ）、周辺機器の電源のＯＮ／ＯＦＦ状態を検出する（ステップＳ２０４）。
【００７０】
周辺機器の電源がＯＦＦ状態である場合（ステップＳ２０５でＮＯ）、周辺機器制御装置の電源を節電に切り替え（ステップＳ２０６）、電源制御処理の手順を終了する。
【００７１】
周辺機器の電源がＯＮ状態である場合（ステップＳ２０５でＹＥＳ）、周辺機器制御装置の電源を通電に保持し（ステップＳ２０７）、電源制御処理の手順を終了する。
【００７２】
従って、周辺機器制御装置３のソフトウェアの更新をユーザが使用していない時間帯（例えば、業務時間外）で行う場合、周辺機器２の電源は節電、および周辺機器制御装置３の電源は通電の状態でソフトウェアの更新を行い、ソフトウェアの更新が終了すると、周辺機器２と同様に周辺機器制御装置３の電源を節電することで、周辺機器２および周辺機器制御装置３が設置されている状況に応じて適切な電源状態に移行することが可能になる。
【００７３】
次に、本発明の第２の実施の形態について詳細に説明する。
【００７４】
図３は、本発明の第２の実施の形態で用いる周辺機器システム１の全体構成の一例を示すブロック図である。図３において、本発明の第１の実施の形態で用いる周辺機器システム１と同様の機能を果たす構成部分には同一の符号を付している。
【００７５】
図３に示すように、周辺機器システム１は周辺機器２、タッチパネル等４を有する周辺機器制御装置３、ネットワーク５を介して周辺機器制御装置３にソフトウェアを配信するソフトウェア配信サーバ６から構成され、周辺機器２および周辺機器制御装置３はそれぞれ独自で電源を有することで、独自に電源制御を行うことが可能であることは本発明の第１の実施の形態で用いる周辺機器システム１と同様である。
【００７６】
次に、本発明の第２の実施の形態で用いる周辺機器システム１を構成する周辺機器制御装置３の機能的な構成について詳細に説明する。図３に示すように、周辺機器制御装置３はネットワーク４を介した通信を行うための通信制御を行う通信制御部７１、ソフトウェア配信サーバ６から配信された周辺機器制御装置３のソフトウェアの更新処理を行うソフトウェア更新部８、制御用スクリプト解析部１２、電源切替制御部１０、電源状態を通電状態／節電状態／切断状態に切り替えるスイッチである電源切替部１１１から構成されている。なお、上記で説明した電源制御に関する構成部分以外の構成部分については図示しないため、説明は省略する。
【００７７】
制御用スクリプト解析部１２は、ソフトウェア配信サーバ６から配信された周辺機器制御装置３のソフトウェアの制御用スクリプトに記述されている電源制御の指示の解析処理を行う。
【００７８】
電源切替制御部１０は、周辺機器２および周辺機器制御装置３の電源切替の制御を行う。第２の実施の形態においては、制御用スクリプト解析部１２で周辺機器制御装置３に対する節電の指示が有りと解析された場合は電源切替部１１１を節電に切り替え、制御用スクリプト解析部１２で周辺機器制御装置３に対する通電の指示が有りと解析された場合は電源切替部１１１を通電の状態に保持する。また、制御用スクリプト解析部１２で周辺機器２に対する節電の指示が有りと解析された場合は周辺機器２に節電の指示を送信し、制御用スクリプト解析部１２で周辺機器２に対する通電の指示が有りと解析された場合は周辺機器２を電源通電の状態に保持する。
【００７９】
次に、周辺機器制御装置３のソフトウェアの更新を行う際に、本発明の第２の実施の形態で用いる周辺機器システム１で行われる機能的な動作について説明する。
【００８０】
ソフトウェア配信サーバ６が周辺機器制御装置３のソフトウェアを更新するためにネットワーク４を介して周辺機器制御装置３にソフトウェアを配信し、周辺機器制御装置３の通信制御部７１はソフトウェアを受信すると、受信したソフトウェアをソフトウェア更新部８に送出し、ソフトウェア更新部８はソフトウェアを受け付けると、受け付けたソフトウェアの更新処理を開始する。
【００８１】
ソフトウェア更新部８はソフトウェアの更新処理が終了すると、制御用スクリプト解析部１２にソフトウェアの更新処理が終了した旨を通知し、制御用スクリプト解析部１２はソフトウェアの更新処理が終了した旨を受け付けると、ソフトウェアの制御用スクリプトに記述されている電源制御の指示を解析する。
【００８２】
ここで、制御用スクリプト解析部１２が周辺機器制御装置３に対する節電の指示が有りと解析した場合、周辺機器制御装置３の節電の指示を電源切替制御部１０に通知し、電源切替制御部１０は周辺機器制御装置３の節電の指示を受け付けると、電源切替部１１１を節電に切り替える。
【００８３】
また、制御用スクリプト解析部１２が周辺機器制御装置３に対する通電の指示が有りと解析した場合、周辺機器制御装置３の通電の指示を電源切替制御部１０に通知し、電源切替制御部１０は周辺機器制御装置３の通電の指示を受け付けると、電源切替部１１１を通電の状態に保持する。
【００８４】
また、制御用スクリプト解析部１２が周辺機器２の節電の指示が有りと解析した場合、周辺機器２に節電の指示を送信し、周辺機器２は節電の指示を受信すると、節電状態になる。
【００８５】
また、制御用スクリプト解析部１２が周辺機器２の通電の指示が有りと解析した場合、周辺機器２を通電の状態に保持する。
【００８６】
次に、本発明の第２の実施の形態で用いる周辺機器システム１が行う電源制御処理の手順について図４に示すフローチャートを参照して説明する。
【００８７】
周辺機器制御装置がソフトウェア配信サーバからソフトウェアを受信すると（ステップＳ４０１でＹＥＳ）、ソフトウェアの更新を開始し（ステップＳ４０２）、ソフトウェアの更新が終了すると（ステップＳ４０３でＹＥＳ）、ソフトウェアの制御用スクリプトを解析する（ステップＳ４０４）。
【００８８】
周辺機器に対する節電の指示が有りと解析した場合（ステップＳ４０５でＹＥＳ）、周辺機器の電源を節電に切り替え（ステップＳ４０６）、ステップＳ４０８に進む。
【００８９】
また、周辺機器に対する通電の指示が有りと解析した場合（ステップＳ４０５でＮＯ）、周辺機器の電源を通電に保持し（ステップＳ４０７）、ステップＳ４０８に進む。
【００９０】
ステップＳ４０８に進み、周辺機器制御装置に対する節電の指示が有りと解析した場合（ステップＳ４０８でＹＥＳ）、周辺機器制御装置の電源を節電に切り替え（ステップＳ４０９）、電源制御処理の手順を終了する。
【００９１】
また、周辺機器制御装置に対する通電の指示が有りと解析した場合（ステップＳ４０８でＮＯ）、周辺機器制御装置の電源を通電に保持し（ステップＳ４１０）、電源制御処理の手順を終了する。
【００９２】
図５は、ソフトウェア配信サーバ６から配信されるソフトウェア１３の構成の一例を示す図である。
【００９３】
図５に示すように、ソフトウェア配信サーバ６から配信されるソフトウェア１３は周辺機器制御装置にインストールするソフトウェア１４と、そのソフトウェアの制御用スクリプト１５とから構成されている。
【００９４】
そして、制御用スクリプト１５には電源制御についての指示が記述され、図５に示す実施例では、「［Ｓｈｕｔｄｏｗｎ］ＹＥＳ」というように記述されている。
【００９５】
従って、周辺機器２および周辺機器制御装置３が設置されている状況に応じて適切な電源状態をソフトウェア配信サーバ６で制御することが可能になる。
【００９６】
次に、本発明の第３の実施の形態について詳細に説明する。
【００９７】
図６は、本発明の第３の実施の形態で用いる周辺機器システム１の全体構成の一例を示すブロック図である。図６において、本発明の第１および第２の実施の形態で用いる周辺機器システム１と同様の機能を果たす構成部分には同一の符号を付している。
【００９８】
図６に示すように、周辺機器システム１は周辺機器２、タッチパネル等４を有する周辺機器制御装置３、ネットワーク５を介して周辺機器制御装置３にソフトウェアを配信するソフトウェア配信サーバ６から構成され、周辺機器２および周辺機器制御装置３はそれぞれ独自で電源を有することで、独自に電源制御を行うことが可能であることは本発明の第１および第２の実施の形態で用いる周辺機器システム１と同様である。
【００９９】
次に、本発明の第３の実施の形態で用いる周辺機器システム１を構成する周辺機器２の機能的な構成について詳細に説明する。
【０１００】
図６に示すように、周辺機器２は電源制御設定部１６１、電源状態を通電状態／節電状態／切断状態に切り替えるスイッチである電源切替部１１２から構成されている。なお、上記で説明した電源制御に関する構成部分以外の構成部分については図示しないため、説明は省略する。
【０１０１】
電源制御設定部１６１は、周辺機器制御装置３のソフトウェアの更新終了後に周辺機器２および周辺機器制御装置３の電源制御の設定が設けられている。
【０１０２】
次に、本発明の第３の実施の形態で用いる周辺機器システム１を構成する周辺機器制御装置３の機能的な構成について詳細に説明する。
【０１０３】
図６に示すように、周辺機器制御装置３はネットワーク５を介した通信を行うための通信制御を行う通信制御部７１、ソフトウェア配信サーバ６から配信された周辺機器制御装置３のソフトウェアの更新処理を行うソフトウェア更新部８、電源制御設定問合せ部１７、電源切替制御部１０、電源状態を通電状態／節電状態／切断状態に切り替えるスイッチである電源切替部１１１から構成されている。なお、上記で説明した電源制御に関する構成部分以外の構成部分については図示しないため、説明は省略する。
【０１０４】
電源制御設定問合せ部１７は、周辺機器２の電源制御設定部１６１に設けられている周辺機器２および周辺機器制御装置３の電源制御の設定を問い合わせる処理を行う。
【０１０５】
電源切替制御部１０は、周辺機器２および周辺機器制御装置３の電源切替の制御を行う。第３の実施の形態においては、周辺機器制御装置３に対して節電が電源制御設定部１６１に設定されている場合は電源切替部１１１を節電に切り替え、周辺機器制御装置３に対して通電が電源制御設定部１６１に設定されている場合は電源切替部１１１を通電の状態に保持する。また、周辺機器２に対して節電が電源制御設定部１６１に設定されている場合は周辺機器２の電源切替部１１２を節電に切り替え、周辺機器２に対して通電が電源制御設定部１６１に設定されている場合は周辺機器２の電源切替部１１２を通電の状態に保持する。
【０１０６】
次に、周辺機器制御装置３のソフトウェアの更新を行う際に、本発明の第３の実施の形態で用いる周辺機器システム１で行われる機能的な動作について説明する。
【０１０７】
ソフトウェア配信サーバ６が周辺機器制御装置３のソフトウェアを更新するためにネットワーク５を介して周辺機器制御装置３にソフトウェアを配信し、周辺機器制御装置３の通信制御部７１はソフトウェアを受信すると、受信したソフトウェアをソフトウェア更新部８に送出し、ソフトウェア更新部８はソフトウェアを受け付けると、受け付けたソフトウェアの更新処理を開始する。
【０１０８】
ソフトウェア更新部８はソフトウェアの更新処理が終了すると、電源制御設定問合せ部１７にソフトウェアの更新処理が終了した旨を通知し、電源制御設定問合せ部１７はソフトウェアの更新処理が終了した旨を受け付けると、周辺機器２の電源制御設定部１６１に周辺機器２の電源制御の設定について問い合わせる。
【０１０９】
ここで、周辺機器２に対して節電が電源制御設定部１６１に設定されている場合、周辺機器２の節電の指示を電源切替制御部１０に通知し、電源切替制御部１０は周辺機器２の節電の指示を受け付けると、周辺機器２の電源切替部１１２を節電に切り替える。
【０１１０】
また、周辺機器２に対して通電が電源制御設定部１６１に設定されている場合、周辺機器２の通電の指示を電源切替制御部１０に通知し、電源切替制御部１０は周辺機器２の通電の指示を受け付けると、周辺機器２の電源切替部１１２を通電の状態に保持する。
【０１１１】
そして、電源制御設定問合せ部１７は周辺機器２の電源制御設定部１６１に周辺機器制御装置３の電源制御の設定について問い合わせる。
【０１１２】
ここで、周辺機器制御装置３に対して節電が電源制御設定部１６１に設定されている場合、周辺機器制御装置３の節電の指示を電源切替制御部１０に通知し、電源切替制御部１０は周辺機器制御装置３の節電の指示を受け付けると、電源切替部１１１を節電に切り替える。
【０１１３】
また、周辺機器制御装置３に対して通電が電源制御設定部１６１に設定されている場合、周辺機器制御装置３の通電の指示を電源切替制御部１０に通知し、電源切替制御部１０は周辺機器制御装置３の通電の指示を受け付けると、電源切替部１１１を通電の状態に保持する。
【０１１４】
次に、本発明の第３の実施の形態で用いる周辺機器システム１が行う電源制御処理の手順について図７に示すフローチャートを参照して説明する。
【０１１５】
周辺機器制御装置がソフトウェア配信サーバからソフトウェアを受信すると（ステップＳ７０１でＹＥＳ）、ソフトウェアの更新を開始し（ステップＳ７０２）、ソフトウェアの更新が終了すると（ステップＳ７０３でＹＥＳ）、周辺機器の電源制御設定部に対して周辺機器の節電の設定を問い合わせる（ステップＳ７０４）。
【０１１６】
周辺機器に対して節電が設定されている場合（ステップＳ７０５でＹＥＳ）、周辺機器の電源を節電に切り替え（ステップＳ７０６）、ステップＳ７０８に進む。
【０１１７】
また、周辺機器に対して通電が設定されている場合（ステップＳ７０５でＮＯ）、周辺機器の電源を通電に保持し（ステップＳ７０７）、ステップＳ７０８に進む。
【０１１８】
ステップＳ７０８に進み、周辺機器の電源制御設定部に対して周辺機器制御装置の電源制御の設定を問い合わせる（ステップＳ７０８）。
【０１１９】
周辺機器制御装置に対して節電が設定されている場合（ステップＳ７０９でＹＥＳ）、周辺機器制御装置の電源を節電し（ステップＳ７１０）、電源制御処理の手順を終了する。
【０１２０】
また、周辺機器制御装置に対して通電が設定されている場合（ステップＳ７０９でＮＯ）、周辺機器制御装置の電源を通電に保持し（ステップＳ７１１）、電源制御処理の手順を終了する。
【０１２１】
従って、周辺機器および周辺機器制御装置が設置されている状況に応じて適切な電源状態を周辺機器で制御することが可能になる。
【０１２２】
次に、本発明の第４の実施の形態について詳細に説明する。
【０１２３】
図８は、本発明の第４の実施の形態で用いる周辺機器システム１の全体構成の一例を示すブロック図である。図８において、本発明の第１、第２および第３の実施の形態で用いる周辺機器システム１と同様の機能を果たす構成部分には同一の符号を付している。
【０１２４】
図８に示すように、周辺機器システム１は周辺機器２、タッチパネル等４を有する周辺機器制御装置３、ネットワーク５を介して周辺機器制御装置３にソフトウェアを配信するソフトウェア配信サーバ６から構成され、周辺機器２および周辺機器制御装置３はそれぞれ独自で電源を有し、独自に電源制御を行うことが可能であることは本発明の第１、第２および第３の実施の形態で用いる周辺機器システム１と同様である。
【０１２５】
次に、本発明の第４の実施の形態で用いる周辺機器システム１を構成する周辺機器制御装置３の機能的な構成について詳細に説明する。
【０１２６】
図８に示すように、周辺機器制御装置３はネットワーク５を介した通信を行うための通信制御を行う通信制御部７１、ソフトウェア配信サーバ６から配信された周辺機器制御装置３のソフトウェアの更新処理を行うソフトウェア更新部８、周辺機器制御装置３のソフトウェアの更新終了後に周辺機器２および周辺機器制御装置３の電源制御の設定が設けられている電源制御設定部１６２、周辺機器２の電源制御設定部１６２に設けられている周辺機器２および周辺機器制御装置３の電源制御の設定を問い合わせる処理を行う電源制御設定問合せ部１７、電源切替制御部１０、電源状態を通電状態／節電状態／切断状態に切り替えるスイッチである電源切替部１１１から構成されている。なお、上記で説明した電源制御に関する構成部分以外の構成部分については図示しないため、説明は省略する。
【０１２７】
電源切替制御部１０は、周辺機器２および周辺機器制御装置３の電源切替の制御を行う。第３の実施の形態においては、周辺機器制御装置３に対して節電が電源制御設定部１６２に設定されている場合は電源切替部１１１を節電に切り替え、周辺機器制御装置３に対して通電が電源制御設定部１６２に設定されている場合は電源切替部１１１を通電の状態に保持する。また、周辺機器２に対して節電が電源制御設定部１６２に設定されている場合は周辺機器２に節電の指示を送信し、周辺機器２に対して通電が電源制御設定部１６２に設定されている場合は周辺機器２を通電の状態に保持する。
【０１２８】
次に、周辺機器制御装置３のソフトウェアの更新を行う際に、本発明の第４の実施の形態で用いる周辺機器システム１で行われる機能的な動作について説明する。
【０１２９】
ソフトウェア配信サーバ６が周辺機器制御装置３のソフトウェアを更新するためにネットワーク５を介して周辺機器制御装置３にソフトウェアを配信し、周辺機器制御装置３の通信制御部７１はソフトウェアを受信すると、受信したソフトウェアをソフトウェア更新部８に送出し、ソフトウェア更新部８はソフトウェアを受け付けると、受け付けたソフトウェアの更新処理を開始する。
【０１３０】
ソフトウェア更新部８はソフトウェアの更新処理が終了すると、電源制御設定問合せ部１７にソフトウェアの更新処理が終了した旨を通知し、電源制御設定問合せ部１７はソフトウェアの更新処理が終了した旨を受け付けると、電源制御設定部１６２に周辺機器２の電源制御の設定について問い合わせる。
【０１３１】
ここで、周辺機器２に対して節電が電源制御設定部１６２に設定されている場合、周辺機器２の節電の指示を電源切替制御部１０に通知し、電源切替制御部１０は周辺機器２の節電の指示を受け付けると、周辺機器２に節電の指示を送信し、周辺機器２は節電の指示を受信すると、節電状態に切り替える。
【０１３２】
また、周辺機器２に対して通電が電源制御設定部１６２に設定されている場合、周辺機器の２通電の指示を電源切替制御部１０に通知し、電源切替制御部１０は周辺機器２の通電の指示を受け付けると、周辺機器２の電源を通電の状態に保持する。
【０１３３】
そして、電源制御設定問合せ部１７は電源制御設定部１６２に周辺機器制御装置３の電源制御の設定について問い合わせる。
【０１３４】
ここで、周辺機器制御装置３に対して節電が電源制御設定部１６２に設定されている場合、周辺機器制御装置３の節電の指示を電源切替制御部１０に通知し、電源切替制御部１０は周辺機器制御装置３の節電の指示を受け付けると、電源切替部１１１を節電に切り替える。
【０１３５】
また、周辺機器制御装置３に対して通電が電源制御設定部１６２に設定されている場合、周辺機器制御装置３の通電の指示を電源切替制御部１０に通知し、電源切替制御部１０は周辺機器制御装置３の通電の指示を受け付けると、電源切替部１１１を通電の状態に保持する。
【０１３６】
次に、本発明の第４の実施の形態で用いる周辺機器システム１が行う電源制御処理の手順について図９に示すフローチャートを参照して説明する。
【０１３７】
周辺機器制御装置がソフトウェア配信サーバからソフトウェアを受信すると（ステップＳ９０１でＹＥＳ）、ソフトウェアの更新を開始し（ステップＳ９０２）、ソフトウェアの更新が終了すると（ステップＳ９０３でＹＥＳ）、電源制御設定部に対して周辺機器の電源制御の設定を問い合わせる（ステップＳ９０４）。
【０１３８】
周辺機器に対して節電が設定されている場合（ステップＳ９０５でＹＥＳ）、周辺機器の電源を節電に切り替え（ステップＳ９０６）、ステップＳ９０８に進む。
【０１３９】
また、周辺機器に対して通電が設定されている場合（ステップＳ９０５でＮＯ）、周辺機器の電源を通電に保持し（ステップＳ９０７）、ステップＳ９０８に進む。
【０１４０】
ステップＳ９０８に進み、電源制御設定部に対して周辺機器制御装置の電源制御の設定を問い合わせる（ステップＳ９０８）。
【０１４１】
周辺機器制御装置に対して節電が設定されている場合（ステップＳ９０９でＹＥＳ）、周辺機器制御装置の電源を節電に切り替え（ステップＳ９１０）、電源制御処理の手順を終了する。
【０１４２】
また、周辺機器制御装置に対して通電が設定されている場合（ステップＳ９０９でＮＯ）、周辺機器制御装置の電源を通電に保持し（ステップＳ９１１）、電源制御処理の手順を終了する。
【０１４３】
従って、周辺機器２および周辺機器制御装置３が設置されている状況に応じて適切な電源状態を周辺機器制御装置で制御することが可能になる。
【０１４４】
次に、本発明の第５の実施の形態について詳細に説明する。
【０１４５】
図１０は、本発明の第５の実施の形態で用いる周辺機器システム１の全体構成の一例を示すブロック図である。図１０において、本発明の第１、第２、第３および第４の実施の形態で用いる周辺機器システム１と同様の機能を果たす構成部分には同一の符号を付している。
【０１４６】
図１０に示すように、周辺機器システム１は周辺機器２、タッチパネル等４を有する周辺機器制御装置３、ネットワーク５を介して周辺機器制御装置３にソフトウェアを配信するソフトウェア配信サーバ６から構成され、周辺機器２および周辺機器制御装置３はそれぞれ独自で電源を有することで、独自に電源制御を行うことが可能であることは本発明の第１、第２、第３および第４の実施の形態で用いる周辺機器システム１と同様である。
【０１４７】
次に、本発明の第５の実施の形態で用いる周辺機器システム１を構成する周辺機器の機能的な構成について詳細に説明する。
【０１４８】
図１０に示すように、周辺機器２は周辺機器制御装置３のソフトウェアの更新終了後に周辺機器２の電源制御の設定が設けられている電源制御設定部１６１、電源状態を通電状態／節電状態／切断状態に切り替えるスイッチである電源切替部１１２から構成されている。なお、上記で説明した電源制御に関する構成部分以外の構成部分については図示しないため、説明は省略する。
【０１４９】
次に、本発明の第５の実施の形態で用いる周辺機器システム１を構成する周辺機器制御装置３の機能的な構成について詳細に説明する。
【０１５０】
図１０に示すように、周辺機器制御装置３はネットワーク５を介した通信を行うための通信制御を行う通信制御部７１、ソフトウェア配信サーバ６から配信された周辺機器制御装置３のソフトウェアの更新処理を行うソフトウェア更新部８、周辺機器制御装置３のソフトウェアの更新終了後に周辺機器制御装置３の電源制御の設定が設けられている電源制御設定部１６２、電源制御設定問合せ部１７、電源切替制御部１０、電源状態を通電状態／節電状態／切断状態に切り替えるスイッチである電源切替部１１１から構成されている。なお、上記で説明した電源制御に関する構成部分以外の構成部分については図示しないため、説明は省略する。
【０１５１】
電源制御設定問合せ部１７は、周辺機器２の電源制御設定部１６１に設けられている周辺機器２の電源制御の設定を問い合わせる処理、および周辺機器制御装置３の電源制御設定部に１６２設けられている周辺機器制御装置３の電源制御の設定を問い合わせる処理を行う。
【０１５２】
電源切替制御部１０は、周辺機器２および周辺機器制御装置３の電源切替の制御を行う。第５の実施の形態においては、周辺機器制御装置３に対して節電が電源制御設定部１６２に設定されている場合は電源切替部１１１を節電に切り替え、周辺機器制御装置３に対して通電が電源制御設定部１６２に設定されている場合は電源切替部１１１を通電の状態に保持する。また、周辺機器２に対して節電が電源制御設定部１６１に設定されている場合は周辺機器２の電源切替部１１２を節電に切り替え、周辺機器２に対して通電が電源制御設定部１６１に設定されている場合は周辺機器２の電源切替部１１２を通電の状態に保持する。
【０１５３】
次に、周辺機器制御装置３のソフトウェアの更新を行う際に、本発明の第５の実施の形態で用いる周辺機器システム１で行われる機能的な動作について説明する。
【０１５４】
ソフトウェア配信サーバ６が周辺機器制御装置３のソフトウェアを更新するためにネットワーク５を介して周辺機器制御装置３にソフトウェアを配信し、周辺機器制御装置３の通信制御部７１はソフトウェアを受信すると、受信したソフトウェアをソフトウェア更新部８に送出し、ソフトウェア更新部８はソフトウェアを受け付けると、受け付けたソフトウェアの更新処理を開始する。
【０１５５】
ソフトウェア更新部８はソフトウェアの更新処理が終了すると、電源制御設定問合せ部１７にソフトウェアの更新処理が終了した旨を通知し、電源制御設定問合せ部１７はソフトウェアの更新処理が終了した旨を受け付けると、周辺機器２の電源制御設定部１６１に周辺機器２の電源制御の設定について問い合わせる。
【０１５６】
ここで、周辺機器２に対して節電が電源制御設定部１６１に設定されている場合、周辺機器２の節電の指示を電源切替制御部１０に通知し、電源切替制御部１０は周辺機器２の節電の指示を受け付けると、周辺機器２の電源切替部１１２を節電に切り替える。
【０１５７】
また、周辺機器２に対して通電が電源制御設定部１６１に設定されている場合、周辺機器２の通電の指示を電源切替制御部１０に通知し、電源切替制御部１０は周辺機器２の通電の指示を受け付けると、周辺機器２の電源切替部１１２を通電の状態に保持する。
【０１５８】
そして、電源制御設定問合せ部１７は周辺機器制御装置３の電源制御設定部１６２に周辺機器制御装置３の電源制御の設定について問い合わせる。
【０１５９】
ここで、周辺機器制御装置３に対して節電が電源制御設定部１６２に設定されている場合、周辺機器制御装置３の節電の指示を電源切替制御部１０に通知し、電源切替制御部１０は周辺機器制御装置３の節電の指示を受け付けると、電源切替部１１１を節電に切り替える。
【０１６０】
また、周辺機器制御装置３に対して通電が電源制御設定部１６２に設定されている場合、周辺機器制御装置３の通電の指示を電源切替制御部１０に通知し、電源切替制御部１０は周辺機器制御装置３の通電の指示を受け付けると、電源切替部１１１を通電の状態に保持する。
【０１６１】
次に、本発明の第５の実施の形態で用いる周辺機器システム１が行う電源制御処理の手順について図１１に示すフローチャートを参照して説明する。
【０１６２】
周辺機器制御装置がソフトウェア配信サーバからソフトウェアを受信すると（ステップＳ１１０１でＹＥＳ）、ソフトウェアの更新を開始し（ステップＳ１１０２）、ソフトウェアの更新が終了すると（ステップＳ１１０３でＹＥＳ）、周辺機器の電源制御設定部に対して周辺機器の電源制御の設定を問い合わせる（ステップＳ１１０４）。
【０１６３】
周辺機器に対して節電が設定されている場合（ステップＳ１１０５でＹＥＳ）、周辺機器の電源を節電に切り替え（ステップＳ１１０６）、ステップＳ１１０８に進む。
【０１６４】
また、周辺機器に対して通電が設定されている場合（ステップＳ１１０５でＮＯ）、周辺機器の電源を通電に保持し（ステップＳ１１０７）、ステップＳ１１０８に進む。
【０１６５】
ステップＳ１１０８に進み、周辺機器制御装置の電源制御設定部に対して周辺機器制御装置の電源制御の設定を問い合わせる（ステップＳ１１０８）。
【０１６６】
周辺機器制御装置に対して節電が設定されている場合（ステップＳ１１０９でＹＥＳ）、周辺機器制御装置の電源を節電に切り替え（ステップＳ１１１０）、電源制御処理の手順を終了する。
【０１６７】
また、周辺機器制御装置に対して通電が設定されている場合（ステップＳ１１０９でＮＯ）、周辺機器制御装置の電源を通電に保持し（ステップＳ１１１１）、電源制御処理の手順を終了する。
【０１６８】
従って、周辺機器２が設置されている状況に応じて適切な電源状態を周辺機器２自身で制御することが可能になり、周辺機器制御装置３が設置されている状況に応じて適切な電源状態を周辺機器制御装置３自身で制御することが可能になる。
【０１６９】
次に、本発明の第６の実施の形態について詳細に説明する。
【０１７０】
図１２は、本発明の第６の実施の形態で用いる周辺機器システム１の全体構成の一例を示すブロック図である。図１２において、本発明の第１、第２、第３、第４および第５の実施の形態で用いる周辺機器システム１と同様の機能を果たす構成部分には同一の符号を付している。
【０１７１】
図１２に示すように、周辺機器システム１は周辺機器２、タッチパネル等４を有する周辺機器制御装置３、ネットワーク５を介して周辺機器制御装置３にソフトウェアを配信するソフトウェア配信サーバ６から構成され、周辺機器２および周辺機器制御装置３はそれぞれ独自で電源を有することで、独自に電源制御を行うことが可能であることは本発明の第１、第２、第３、第５および第６の実施の形態で用いる周辺機器システム１と同様である。
【０１７２】
次に、本発明の第６の実施の形態で用いる周辺機器システム１を構成するソフトウェア配信サーバ６の機能的な構成について詳細に説明する。
【０１７３】
図１２に示すように、ソフトウェア配信サーバ６はネットワーク５を介した通信を行うための通信制御を行う通信制御部７２、周辺機器制御装置３のソフトウェアの更新終了後に周辺機器制御装置３の電源制御の設定が設けられている電源制御設定部１６３から構成されている。なお、上記で説明した電源制御に関する構成部分以外の構成部分については図示しないため、説明は省略する。
【０１７４】
次に、本発明の第６の実施の形態で用いる周辺機器システム１を構成する周辺機器制御装置３の機能的な構成について詳細に説明する。
【０１７５】
図１２に示すように、周辺機器制御装置３はネットワーク５を介した通信を行うための通信制御を行う通信制御部７１、ソフトウェア配信サーバ６から配信された周辺機器制御装置３のソフトウェアの更新処理を行うソフトウェア更新部８、電源制御設定問合せ部１７、電源切替制御部１０、電源状態を通電状態／節電状態／切断状態に切り替えるスイッチである電源切替部１１１から構成されている。なお、上記で説明した電源制御に関する構成部分以外の構成部分については図示しないため、説明は省略する。
【０１７６】
電源制御設定問合せ部１７は、ソフトウェア配信サーバ６の電源制御設定部１６３に設けられている周辺機器２および周辺機器制御装置３の電源制御の設定を問い合わせる処理を行う。
【０１７７】
電源切替制御部１０は、周辺機器２および周辺機器制御装置３の電源切替の制御を行う。第６の実施の形態においては、周辺機器制御装置４に対して節電が電源制御設定部１６３に設定されている場合は電源切替部１１１を節電に切り替え、周辺機器制御装置３に対して通電が電源制御設定部１６３に設定されている場合は電源切替部１１１を通電の状態に保持する。また、周辺機器２に対して節電が電源制御設定部１６３に設定されている場合は周辺機器２に節電の指示を送信し、周辺機器２に対して通電が電源制御設定部１６３に設定されている場合は周辺機器２を通電の状態に保持する。
【０１７８】
次に、周辺機器制御装置３のソフトウェアの更新を行う際に、本発明の第６の実施の形態で用いる周辺機器システム１で行われる機能的な動作について説明する。
【０１７９】
ソフトウェア配信サーバ６が周辺機器制御装置３のソフトウェアを更新するためにネットワーク５を介して周辺機器制御装置３にソフトウェアを配信し、周辺機器制御装置３の通信制御部７１はソフトウェアを受信すると、受信したソフトウェアをソフトウェア更新部８に送出し、ソフトウェア更新部８はソフトウェアを受け付けると、受け付けたソフトウェアの更新処理を開始する。
【０１８０】
ソフトウェア更新部８はソフトウェアの更新処理が終了すると、電源制御設定問合せ部１７にソフトウェアの更新処理が終了した旨を通知し、電源制御設定問合せ部１７はソフトウェアの更新処理が終了した旨を受け付けると、通信制御部７１を介してソフトウェア配信サーバ６の電源制御設定部１６３に周辺機器２の電源制御の設定について問い合わせの通知を送信する。
【０１８１】
ソフトウェア配信サーバ６の電源制御設定部１６３は通信制御部７２を介して周辺機器２の節電の設定についての問い合わせを受信すると、通信制御部７２を介して電源制御設定問合せ部１７に周辺機器２の電源制御設定を送信し、電源制御設定問合せ部１７は通信制御部７１を介して周辺機器２の電源制御の設定を受信する。
【０１８２】
ここで、周辺機器２に対して節電が設定されている場合、周辺機器２の節電の指示を電源切替制御部１０に通知し、電源切替制御部１０は周辺機器２の節電の指示を受け付けると、周辺機器２に節電の指示を送信し、周辺機器２は節電の指示を受信すると、節電状態に切り替える。
【０１８３】
また、周辺機器２に対して通電が設定されている場合、周辺機器２の通電の指示を電源切替制御部１０に通知し、電源切替制御部１０は周辺機器２の通電の指示を受け付けると、周辺機器２の電源を通電の状態に保持する。
【０１８４】
そして、電源制御設定問合せ部１７は通信制御部７１を介してソフトウェア配信サーバ６の電源制御設定部１６３に周辺機器制御装置３の電源制御の設定について問い合わせの通知を送信する。
【０１８５】
ソフトウェア配信サーバ６の電源制御設定部１６３は通信制御部７２を介して周辺機器制御装置３の電源制御の設定についての問い合わせを受信すると、通信制御部７２を介して電源制御設定問合せ部１７に周辺機器制御装置３の電源制御の設定を送信し、電源制御設定問合せ部１７は通信制御部７１を介して周辺機器制御装置３の電源制御の設定を受信する。
【０１８６】
ここで、周辺機器制御装置３に対して節電が設定されている場合、周辺機器制御装置３の節電の指示を電源切替制御部１０に通知し、電源切替制御部１０は周辺機器制御装置３の節電の指示を受け付けると、電源切替部１１１を節電に切り替える。
【０１８７】
また、周辺機器制御装置３に対して通電が設定されている場合、周辺機器制御装置３の通電の指示を電源切替制御部１０に通知し、電源切替制御部１０は周辺機器制御装置３の通電の指示を受け付けると、電源切替部１１１を通電の状態に保持する。
【０１８８】
次に、本発明の第６の実施の形態で用いる周辺機器システム１が行う電源制御処理の手順について図１３に示すフローチャートを参照して説明する。
【０１８９】
周辺機器制御装置がソフトウェア配信サーバからソフトウェアを受信すると（ステップＳ１３０１でＹＥＳ）、ソフトウェアの更新を開始し（ステップＳ１３０２）、ソフトウェアの更新が終了すると（ステップＳ１３０３でＹＥＳ）、ソフトウェア配信サーバの電源制御設定部に対して周辺機器の電源制御の設定を問い合わせる（ステップＳ１３０４）。
【０１９０】
周辺機器に対して節電が設定されている場合（ステップＳ１３０５でＹＥＳ）、周辺機器の電源を節電に切り替え（ステップＳ１３０６）、ステップＳ１１０８に進む。
【０１９１】
また、周辺機器に対して通電が設定されている場合（ステップＳ１３０５でＮＯ）、周辺機器の電源を通電に保持し（ステップＳ１３０７）、ステップＳ１３０８に進む。
【０１９２】
ステップＳ１３０８に進み、ソフトウェア配信サーバの電源制御設定部に対して周辺機器制御装置の電源制御の設定を問い合わせる（ステップＳ１３０８）。
【０１９３】
周辺機器制御装置に対して節電が設定されている場合（ステップＳ１３０９でＹＥＳ）、周辺機器制御装置の電源を節電に切り替え（ステップＳ１３１０）、電源制御処理の手順を終了する。
【０１９４】
また、周辺機器制御装置に対して通電が設定されている場合（ステップＳ１３０９でＮＯ）、周辺機器制御装置の電源を通電に保持し（ステップＳ１３１１）、電源制御処理の手順を終了する。
【０１９５】
従って、周辺機器２および周辺機器制御装置３が設置されている状況に応じて適切な電源状態をソフトウェア配信サーバ６で制御することが可能になる。
【図面の簡単な説明】
【０１９６】
【図１】本発明の第１の実施の形態で用いる周辺機器システム１の全体構成の一例を示すブロック図である。
【図２】本発明の第１の実施の形態で用いる周辺機器システム１が行う電源制御処理の手順を示すフローチャートである。
【図３】本発明の第２の実施の形態で用いる周辺機器システム１の全体構成の一例を示すブロック図である。
【図４】本発明の第２の実施の形態で用いる周辺機器システム１が行う電源制御処理の手順を示すフローチャートである。
【図５】ソフトウェア配信サーバ６から配信されるソフトウェア１３の構成の一例を示す図である。
【図６】本発明の第３の実施の形態で用いる周辺機器システム１の全体構成の一例を示すブロック図である。
【図７】本発明の第３の実施の形態で用いる周辺機器システム１が行う電源制御処理の手順を示すフローチャートである。
【図８】本発明の第４の実施の形態で用いる周辺機器システム１の全体構成の一例を示すブロック図である。
【図９】本発明の第４の実施の形態で用いる周辺機器システム１が行う電源制御処理の手順を示すフローチャートである。
【図１０】本発明の第５の実施の形態で用いる周辺機器システム１の全体構成の一例を示すブロック図である。
【図１１】本発明の第５の実施の形態で用いる周辺機器システム１が行う電源制御処理の手順を示すフローチャートである。
【図１２】本発明の第６の実施の形態で用いる周辺機器システム１の全体構成の一例を示すブロック図である。
【図１３】本発明の第６の実施の形態で用いる周辺機器システム１が行う電源制御処理の手順を示すフローチャートである。
【符号の説明】
【０１９７】
１    周辺機器システム
２    周辺機器
３    周辺機器制御装置
４    タッチパネル等
５    ネットワーク
６    ソフトウェア配信サーバ
７１、７２    通信制御部
８    ソフトウェア更新部
９    周辺機器電源ＯＮ／ＯＦＦ検出部
１０    電源切替制御部
１１１、１１２    電源切替部
１２    制御用スクリプト解析部
１３    ソフトウェア
１４    周辺機器制御装置にインストールするソフトウェア
１５    制御用スクリプト
１６１、１６２    電源制御設定部
１７    電源制御設定問合せ部
【図１】
0004356448.tif 000002
【図２】
0004356448.tif 000003
【図３】
0004356448.tif 000004
【図４】
0004356448.tif 000005
【図５】
0004356448.tif 000006
【図６】
0004356448.tif 000007
【図７】
0004356448.tif 000008
【図８】
0004356448.tif 000009
【図９】
0004356448.tif 000010
【図１０】
0004356448.tif 000011
【図１１】
0004356448.tif 000012
【図１２】
0004356448.tif 000013
【図１３】
0004356448.tif 000014